(57)【特許請求の範囲】
【請求項１】
基地局によって実行される、ワイヤレス通信の方法であって、
前記基地局において、ユーザ機器（ＵＥ）が半二重周波数分割二重通信（ＨＤ−ＦＤＤ）モードで動作していることを示す前記ＵＥからのメッセージを受信することと、
前記基地局が、前記ＵＥが前記ＨＤ−ＦＤＤモードで動作していることを示す前記メッセージに少なくとも部分的に基づいて前記ＵＥとの通信のためのハイブリッド自動再送要求（ＨＡＲＱ）処理制限を選択することと、ここにおいて、前記処理制限は、前記ＵＥとの通信のためのＨＡＲＱ処理の数を制限することを備え、前記ＵＥとの通信のためのＨＡＲＱ処理の前記数は、前記ＵＥがアップリンク（ＵＬ）  ＨＡＲＱサブフレームとダウンリンク（ＤＬ）  ＨＡＲＱサブフレーム間で無線切り替えをするための時間を有しうるように前記基地局によって制限され、
を備え、
前記基地局が、前記制限された前記ＵＥとの通信のためのＨＡＲＱ処理の数に基づいてＵＬ送信とＤＬサブフレーム間の衝突を予測することと、
前記基地局が、前記予測された衝突を避けるために、前記制限された前記ＵＥとの通信のためのＨＡＲＱ処理の数に基づいて前記ＵＥとのＵＬ送信およびＤＬ送信をスケジューリングすることと、
を備えることを特徴とする、方法。
【請求項２】
前記メッセージは、前記ＵＥが前記ＨＤ−ＦＤＤモードで動作していることを識別する、請求項１に記載の方法。
【請求項３】
前記ＨＡＲＱ処理制限は、前記ＵＥのためのスケジューリングモードを備える、請求項１に記載の方法。
【請求項４】
前記ＨＡＲＱ処理制限は、８個未満のＵＬ  ＨＡＲＱ処理の制約を備える、請求項３に記載の方法。
【請求項５】
前記予測された衝突を避けるために前記送信をスケジューリングすることは、
ＵＬサブフレームをパンクチャすることを備える、請求項１に記載の方法。
【請求項６】
前記予測された衝突を避けると、衝突が予測されるサブフレームの次のＲＦ切り替えサブフレームの次のサブフレームの中でＨＡＲＱ送信を再び始めるためにＵＬ許可を送信することをさらに備える、請求項５に記載の方法。
【請求項７】
前記ＤＬサブフレームは、サブフレーム０（ＳＦ０）またはサブフレーム５（ＳＦ５）を備える、請求項４に記載の方法。
【請求項８】
前記ＤＬサブフレームは、物理ブロードキャストチャネル（ＰＢＣＨ）送信、ページング送信、システム情報メッセージ、または同期チャネルのうちの少なくとも１つを備える、請求項１に記載の方法。
【請求項９】
チャネル品質インジケータ（ＣＱＩ）またはプリコーディング行列インジケータ（ＰＭＩ）に利用可能である構成の数を制限することをさらに備える、請求項１に記載の方法。
【請求項１０】
ワイヤレス通信のための装置であって、
ユーザ機器（ＵＥ）が半二重周波数分割二重通信（ＨＤ−ＦＤＤ）モードで動作することを示す前記ＵＥからのメッセージを受信するための手段と、
前記ＵＥが前記ＨＤ−ＦＤＤモードで動作していることを示す前記メッセージに少なくとも部分的に基づいて前記ＵＥとの通信のためのハイブリッド自動再送要求（ＨＡＲＱ）処理制限を選択するための手段と、ここにおいて、前記処理制限は、前記ＵＥとの通信のためのＨＡＲＱ処理の数を制限することを備え、前記ＵＥとの通信のためのＨＡＲＱ処理の前記数は、前記ＵＥがアップリンク（ＵＬ）  ＨＡＲＱサブフレームとダウンリンク（ＤＬ）  ＨＡＲＱサブフレーム間で無線切り替えをするための時間を有しうるように前記装置によって制限され、
を備え、
前記制限された前記ＵＥとの通信のためのＨＡＲＱ処理の数に基づいてＵＬ送信とＤＬサブフレーム間の衝突を予測するための手段と、
前記予測された衝突を避けるために、前記制限された前記ＵＥとの通信のためのＨＡＲＱ処理の数に基づいて前記ＵＥとのＵＬ送信およびＤＬ送信をスケジューリングするための手段と、
を備えることを特徴とする、装置。
【請求項１１】
前記メッセージは、前記ＵＥが前記ＨＤ−ＦＤＤモードで動作していることを識別する、請求項１０に記載の装置。
【請求項１２】
前記予測された衝突を避けるために前記送信をスケジューリングするための前記手段は、
ＵＬサブフレームをパンクチャするための手段を備える、請求項１０に記載の装置。
【請求項１３】
前記予測された衝突を避けると、衝突が予測されるサブフレームの次のＲＦ切り替えサブフレームの次のサブフレームの中でＨＡＲＱ送信を再び始めるためにＵＬ許可を送信するための手段をさらに備える、請求項１２に記載の装置。
【請求項１４】
チャネル品質インジケータ（ＣＱＩ）またはプリコーディング行列インジケータ（ＰＭＩ）に利用可能である構成の数を制限するための手段をさらに備える、請求項１０に記載の装置。
【請求項１５】
ワイヤレス通信のためのコードを記憶するコンピュータ読取可能な記憶媒体であって、前記コードは、
ユーザ機器（ＵＥ）が半二重周波数分割二重通信（ＨＤ−ＦＤＤ）モードで動作していることを示す前記ＵＥからのメッセージを受信することと、
前記ＵＥが前記ＨＤ−ＦＤＤモードで動作していることを示す前記メッセージに少なくとも部分的に基づいて前記ＵＥとの通信のためのハイブリッド自動再送要求（ＨＡＲＱ）処理制限を選択することと、ここにおいて、前記処理制限は、前記ＵＥとの通信のためのＨＡＲＱ処理の数を制限することを備え、前記ＵＥとの通信のためのＨＡＲＱ処理の前記数は、前記ＵＥがアップリンク（ＵＬ）  ＨＡＲＱサブフレームとダウンリンク（ＤＬ）  ＨＡＲＱサブフレーム間で無線切り替えをするための時間を有しうるように基地局によって制限され、
が実行可能である命令を備え、前記コードが、
前記制限された前記ＵＥとの通信のためのＨＡＲＱ処理の数に基づいてＵＬ送信とＤＬサブフレーム間の衝突を予測することと、
前記予測された衝突を避けるために、前記制限された前記ＵＥとの通信のためのＨＡＲＱ処理の数に基づいて前記ＵＥとのＵＬ送信およびＤＬ送信をスケジューリングすることと、
が実行可能である命令を備えることを特徴とする、コンピュータ読取可能な記憶媒体。
【発明の詳細な説明】
【相互参照】
【０００１】
[0001]  本特許出願は、２０１５年５月７日に出願された、「ＨＤ−ＦＤＤ  ＨＡＲＱ  Ｏｐｅｒａｔｉｏｎ」と題する、Ｓａｋｈｎｉｎｉおよびその他による米国特許出願第１４／７０６，８５６号、および２０１４年５月９日に出願された、「ＨＤ−ＦＤＤ  ＨＡＲＱ  Ｏｐｅｒａｔｉｏｎ」と題する、Ｓａｋｈｎｉｎｉおよびその他による米国仮特許出願第６１／９９１，２３０号に対し優先権を主張する；それら各々は、本願の譲受人に譲渡される。
【背景技術】
【０００２】
[0002]  下記は一般的に、ワイヤレス通信に関し、より具体的には、半二重周波数分割二重通信（ＨＤ−ＦＤＤ）ハイブリッド自動再送要求（ＨＡＲＱ）オペレーション（half-duplex frequency division duplexing (HD-FDD) hybrid automatic repeat request (HARQ) operation）に関する。ワイヤレス通信システムは、音声、ビデオ、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって複数のユーザとの通信をサポートする能力がある多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、例えば、ロングタームエボリューション（ＬＴＥ（登録商標））システムを含む。
【０００３】
[0003]  一般的に、ワイヤレス多元接続通信システムは、複数のモバイルデバイスまたは他のユーザ機器（ＵＥ）デバイスのための通信を各々同時にサポートする、多数の基地局を含み得る。基地局は、ダウンストリームおよびアップストリームリンク上でＵＥｓと通信し得る。各基地局は、カバレッジ範囲を有し、それは、セルのカバレッジエリアと称され得る。ワイヤレスデバイスのいくつかのタイプは、自動化された通信（automated communication）を提供し得る。自動化されたワイヤレスデバイスは、マシンツーマシン（Ｍ２Ｍ）通信またはマシンタイプ通信（ＭＴＣ）をインプリメントするそれらを含み得る。Ｍ２Ｍおよび／またはＭＴＣは、デバイスが人間の介入（human intervention）なしに基地局と、または互いに通信することを可能にするデータ通信技術に関係し得る。例えば、Ｍ２Ｍおよび／またはＭＴＣは、情報を測定またはキャプチャするためにセンサまたはメータを一体化し、その情報を利用することができる中央サーバまたはアプリケーションプログラムにその情報を中継する、またはそのプログラムまたはアプリケーションと相互に作用する人間にその情報を提示するデバイスからの通信に関係し（refer to）得る。
【０００４】
[0004]  ＭＴＣデバイスは、情報を集める、またはマシンの自動化された動きを可能にするために使用され得る。ＭＴＣデバイスのためのアプリケーションの例は、スマートメータリング、インベントリモニタリング（inventory monitoring）、水位モニタリング、機器モニタリング、ヘルスケアモニタリング、野生生物モニタリング、気象および地質学的イベントモニタリング、フリート管理およびトラッキング（fleet management and tracking）、遠隔セキュリティセンシング、物理アクセス制御、および取引ごとの事業請求（transaction-based business charging）を含む。
【０００５】
[0005]  いくつかのＭＴＣデバイスを含む、いくつかのワイヤレスデバイスは、基地局との低コスト（例えば、低いエネルギー、低複雑性（low complexity）、等）ワイヤレス通信の適切な手段であり得る。しかしながら、いくつかの場合では、基地局と低複雑性のＭＴＣデバイス間のある特定の通信は、基地局がＭＴＣデバイスの制限の責任を負わない（not account for）場合、効率的でない、または管理し難くあり得る。したがって、ＭＴＣデバイスのような、ある特定のユーザ機器の動作制約の責任を負うために基地局および／またはネットワークオペレーションを合わせる（tailor）ことが有益であり得る。
【発明の概要】
【０００６】
[0006]  説明された特徴は一般的に、ユーザ機器の能力または動作制約の責任を負う、またはユーザ機器の能力または動作制約を補う半二重周波数分割二重通信（ＨＤ−ＦＤＤ）ハイブリッド自動再送要求（ＨＡＲＱ）オペレーションのための１つ以上の改良されたシステム、方法、および／または装置に関する。基地局は、ユーザ機器（ＵＥ）の二重通信能力（duplexing capability）を示すＵＥからのメッセージを受信し得る。基地局は次に、二重通信能力に基づいてＨＡＲＱ処理制限を選択し得る。いくつかの例では、基地局は、選択されたＨＡＲＱ処理制限に基づいてアップリンク（ＵＬ）送信とダウンリンク（ＤＬ）サブフレーム間の衝突を予測し得る。基地局は次に、予測された衝突を避けるために送信をスケジューリングし得る。いくつかの例では、基地局は、チャネル品質インジケータ（channel quality indicator）（ＣＱＩ）またはプリコーディング行列インジケータ（precoding matrix indicator）（ＰＭＩ）に利用可能である構成の数を制限し得る。
【０００７】
[0007]  ＨＤ−ＦＤＤ  ＨＡＲＱオペレーションの方法は、説明される。方法は、ＵＥの二重通信能力を示すＵＥからのメッセージを受信することと、ＵＥの二重通信能力に少なくとも部分的に基づいてＨＡＲＱ処理制限を選択することとを含み得る。
【０００８】
[0008]  ＨＤ−ＦＤＤ  ＨＡＲＱオペレーションのための装置は、説明される。装置は、ＵＥの二重通信能力を示すＵＥからのメッセージを受信するための手段と、ＵＥの二重通信能力に少なくとも部分的に基づいてＨＡＲＱ処理制限を選択するための手段とを含み得る。
【０００９】
[0009]  ＨＤ−ＦＤＤ  ＨＡＲＱオペレーションのためのさらなる装置は、説明される。装置は、プロセッサと、プロセッサと電子通信する（in electronic communication with）メモリと、メモリに記憶された命令と、命令は、装置に、ＵＥの二重通信能力を示すＵＥからのメッセージを受信することと、ＵＥの二重通信能力に少なくとも部分的に基づいてＨＡＲＱ処理制限を選択することとを行わせるためにプロセッサによって実行可能である、を含み得る。
【００１０】
[0010]  ＨＤ−ＦＤＤ  ＨＡＲＱオペレーションのための非一時的なコンピュータ読取可能な媒体もまた、説明される。非一時的な媒体は、コードを記憶することができ、それは、ＵＥの二重通信能力を示すＵＥからのメッセージを受信することと、ＵＥの二重通信能力に少なくとも部分的に基づいてＨＡＲＱ処理制限を選択することとが実行可能である命令を含み得る。
【００１１】
[0011]  本明細書に説明される方法、装置、または非一時的なコンピュータ読取可能な媒体のいくつかの例では、メッセージは、ＵＥの二重通信能力を識別する。いくつかの例では、ＨＡＲＱ処理制限は、ＵＥのためのスケジューリングモードであり得る、またはスケジューリングモードを含み得る。いくつかの例では、ＵＥの二重通信能力は、ＨＤ−ＦＤＤ能力である。
【００１２】
[0012]  本明細書に説明される方法、装置、または非一時的なコンピュータ読取可能な媒体のいくつかの例では、ＨＡＲＱ処理制限は、８個未満のＵＬ  ＨＡＲＱ処理の制約を含む。いくつかの例では、ＨＡＲＱ処理制限は、３個のＵＬ  ＨＡＲＱ処理の制約を備える。
【００１３】
[0013]  本明細書に説明される方法、装置、または非一時的なコンピュータ読取可能な媒体のいくつかの例は、選択されたＨＡＲＱ処理制限に基づいてＵＬ送信とＤＬサブフレーム間の衝突を予測することと、予測された衝突を避けるために送信をスケジューリングすることとの特徴、予測することとスケジューリングすることとのための手段、および／または予測することとスケジューリングすることとのためのプロセッサ実行可能な命令をさらに含み得る。いくつかの例は、ＵＬサブフレームをパンクチャすること（puncturing）を備える予測された衝突を避けるために送信をスケジューリングすることを含む。
【００１４】
[0014]  本明細書に説明される方法、装置、または非一時的なコンピュータ読取可能な媒体のいくつかの例では、ＵＬサブフレームをパンクチャすることは、ＵＬ許可を送信することを控えることを含む。いくつかの例では、ＵＬサブフレームをパンクチャすることは、早めの肯定応答（early acknowledgement）（ＡＣＫ）メッセージを送信することによってＵＬ再送を一時停止すること（suspending）を含む。
【００１５】
[0015]  本明細書に説明される方法、装置、または非一時的なコンピュータ読取可能な媒体のいくつかの例は、予測された衝突を避けると、次のサブフレームの中でＨＡＲＱ送信を再び始めるためにＵＬ許可を送信することの特徴、送信するための手段、および／または送信するためのプロセッサ実行可能な命令をさらに含み得る。いくつかの例は、サブフレーム０（ＳＦ０）またはサブフレーム５（ＳＦ５）を備えるＤＬサブフレームを備える。
【００１６】
[0016]  方法、装置、または非一時的なコンピュータ読取可能な媒体のいくつかの例では、（ＰＢＣＨ）送信、ページング送信、システム情報メッセージ、または同期チャネル。
【００１７】
[0017]  本明細書に説明される方法、装置、または非一時的なコンピュータ読取可能な媒体のいくつかの例は、ＣＱＩまたはＰＭＩに利用可能である構成の数を制限することの特徴、制限するための手段、および／または制限するためのプロセッサ実行可能な命令をさらに含み得る。
【００１８】
[0018]  説明された方法および装置の適用性のさらなる範囲は、下記の詳細な説明、特許請求の範囲、および図面から明らかとなるであろう。詳細な説明および具体的な例は、説明の範囲内の様々な変更および修正が当業者に明らかとなるであろうことから、例示のためだけに与えられている。
【図面の簡単な説明】
【００１９】
[0019]  本開示の本質および利点のさらなる理解は、続く図面を参照することによって実現され得る。添付の図面では、類似のコンポーネントまたは特徴は、同じ参照ラベルを有し得る。さらに、同じタイプの様々なコンポーネントは、参照ラベルに、類似のコンポーネントを区別するダッシュと第２のラベルとを後続させることによって区別され得る。本明細書で第１の参照ラベルのみが使用されている場合、説明は、第２の参照ラベルに関わらず、同じ第１の参照ラベルを有する類似のコンポーネントのいずれか１つに適用可能である。
【００２０】
【図１】[0020]  図１は、本開示の様々な態様にしたがうワイヤレス通信システムの例を例示する。
【図２】[0021]  図２は、本開示の様々な態様にしたがうＨＤ−ＦＤＤ  ＨＡＲＱオペレーションをサポートするワイヤレス通信システム内の通信の例を例示する。
【図３Ａ】[0022]  図３Ａは、本開示の様々な態様にしたがう３個のＨＤ−ＦＤＤ  ＨＡＲＱ処理に基づくスケジュールの例を例示する。
【図３Ｂ】[0023]  図３Ｂは、本開示の様々な態様にしたがう１個のＨＤ−ＦＤＤ  ＨＡＲＱ処理に基づくスケジュールの例を例示する。
【図４Ａ】[0024]  図４Ａは、本開示の様々な態様にしたがうＨＤ−ＦＤＤ  ＨＡＲＱオペレーションのためのスケジュールの例を例示する。
【図４Ｂ】[0025]  図４Ｂは、本開示の様々な態様にしたがうＨＤ−ＦＤＤ  ＨＡＲＱオペレーションのためのスケジュールの例を例示する。
【図５】[0026]  図５は、本開示の様々な態様にしたがうＨＤ−ＦＤＤ  ＨＡＲＱオペレーションをサポートするデバイスのブロック図を示す。
【図６】[0027]  図６は、本開示の様々な態様にしたがうＨＤ−ＦＤＤ  ＨＡＲＱオペレーションをサポートするデバイスのブロック図を示す。
【図７】[0028]  図７は、本開示の様々な態様にしたがうＨＤ−ＦＤＤ  ＨＡＲＱオペレーションをサポートするデバイスのブロック図を示す。
【図８】[0029]  図８は、本開示の様々な態様にしたがうＨＤ−ＦＤＤ  ＨＡＲＱオペレーションをサポートするシステムのブロック図を例示する。
【図９】[0030]  図９は、本開示の様々な態様にしたがうＨＤ−ＦＤＤ  ＨＡＲＱオペレーションのための方法を例示するフローチャートを示す。
【図１０】[0031]  図１０は、本開示の様々な態様にしたがうＨＤ−ＦＤＤ  ＨＡＲＱオペレーションのための方法を例示するフローチャートを示す。
【図１１】[0032]  図１１は、本開示の様々な態様にしたがうＨＤ−ＦＤＤ  ＨＡＲＱオペレーションのための方法を例示するフローチャートを示す。
【詳細な説明】
【００２１】
[0033]  説明された特徴は一般的に、半二重周波数分割二重通信（ＨＤ−ＦＤＤ）ハイブリッド自動再送要求（ＨＡＲＱ）オペレーションのための１つ以上の改良されたシステム、方法、および／または装置に関する。ＨＤ−ＦＤＤ通信を採用するＭＴＣデバイスを含む、ユーザ機器は、基地局と双方向で通信するために無線を送信モードから受信モードに切り替え得る。このことは、デバイスが、同時に送信および受信することができない可能性がある。送信モードから受信モードへの遷移（例えば、切り替え）と関連する遅延（例えば、１ｍｓ）が存在し得る。この遅延は、同期アップリンク（synchronous uplink）（ＵＬ）ＨＡＲＱオペレーションを妨げることができ、そこで、ＵＬサブフレームと、ダウンリンク（ＤＬ）上の関連付けられるＨＡＲＱ応答との間で一定の遅延（例えば、４ｍｓまたは４個のサブフレーム）が存在し得る。同期ＵＬ  ＨＡＲＱオペレーション（synchronous UL HARQ operation）でもまた、ＤＬ制御フレームとＵＬサブフレーム間で一定の遅延が存在し得る。ＨＤ−ＦＤＤオペレーションは、デバイスが間違った無線モードであることに基づいて、適切な応答を受信する（または、送信する）準備がされていない状況をもたらし得る。したがって、基地局は、そのようなＨＤ−ＦＤＤオペレーションの責任を負うために、そのオペレーションをＭＴＣデバイス（または他のユーザ機器）に関して調整し得る。
【００２２】
[0034]  基地局は、ユーザ機器（ＵＥ）の二重通信能力を示すＵＥからのメッセージを受信し得る。基地局は次に、二重通信能力に基づいてＨＡＲＱ処理制限を選択し得る。いくつかの例では、基地局は、選択されたＨＡＲＱ処理制限に基づいてアップリンク（ＵＬ）送信とダウンリンク（ＤＬ）サブフレーム間の衝突を予測し得る。基地局は次に、予測された衝突を避けるために送信をスケジューリングし得る。いくつかの例では、基地局は、チャネル品質インジケータ（ＣＱＩ）またはプリコーディング行列インジケータ（ＰＭＩ）に利用可能である構成の数を制限し得る。よって、基地局は、ＨＤ−ＦＤＤデバイス（例えば、ＭＴＣデバイス）がアップリンク送信のためのタイミングとダウンリンク送信のためのタイミング間でのコンフリクト（conflicts）を避けながら、同期ＵＬ  ＨＡＲＱ処理（synchronous UL HARQ processes）を行うことを可能にし得る。
【００２３】
[0035]  下記の説明は、例を提供するものであり、特許請求の範囲において説明される範囲、適用性、または構成を限定するものではない。本開示の範囲から逸脱することなく、説明される要素の機能および配置において変更がなされ得る。様々な実施形態は、様々な手順またはコンポーネントを必要に応じて省略、置換、または追加し得る。例えば、説明される方法は、説明されるものとは異なる順序で行われることができ、様々なステップが追加、省略、または組み合わされ得る。また、ある特定の実施形態に関して説明される特徴は、他の実施形態で組み合わされ得る。
【００２４】
[0036]  図１は、様々な実施形態にしたがうワイヤレス通信システム１００の例を例示する。システム１００は、基地局１０５、通信デバイス、ユーザ機器としても既知であるユーザ機器（ＵＥ）１１５、およびコアネットワーク１３０を含む。基地局１０５は、基地局コントローラ（示されていない）の制御下でＵＥｓ１１５と通信することができ、それらは、様々な実施形態では、コアネットワーク１３０または基地局１０５の一部であり得る。基地局１０５は、バックホールリンク１３２を通して、コアネットワーク１３０と制御情報および／またはユーザデータを通信し得る。実施形態では、基地局１０５は、直接的、または間接的かのどちらかで、バックホールリンク１３４を介して互いに通信することができ、それらは、ワイヤードまたはワイヤレス通信リンクであり得る。システム１００は、複数のキャリア（異なる周波数の波形信号）上のオペレーションをサポートし得る。ワイヤレス通信リンク１２５は、様々な無線技術にしたがって変調され得る。各変調された信号は、制御情報（例えば、参照信号、制御チャネル、等）、オーバヘッド情報、データ、等を搬送し得る。
【００２５】
[0037]  基地局１０５とＵＥ１１５間の２方向の通信は、二重通信（duplexing）として既知である処理にしたがって達成され得る。例えば、デバイス（例えば、基地局１０５またはＵＥ１１５）は、単一の周波数帯域がアップリンクとダウンリンクの両方のために使用され得る時分割二重通信（ＴＤＤ）方法にしたがって通信し得る。デバイスはまた、異なる周波数がアップリンクおよびダウンリンクのために使用される周波数分割二重通信（ＦＤＤ）方法にしたがって通信し得る。デバイスはまた、全二重（ＦＤ）または半二重（ＨＤ）通信方法を利用し得る。ＦＤデバイスは、同時に送信および受信し得る。ＨＤデバイスは、送信することと受信することとを交互に行い得る。いくつかのデバイスは、２つ以上の通信モードの能力があり得る。例えば、デバイスは、ＴＤＤとＦＤＤの両方、またはＦＤとＨＤ通信の両方の能力があり得る。
【００２６】
[0038]  基地局１０５は、１つ以上の基地局アンテナを介してＵＥｓ１１５とワイヤレスで通信し得る。基地局１０５のサイトの各々は、通信カバレッジをそれぞれの地理的カバレッジエリア１１０に提供し得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、または何らかの他の適切な用語で称され得る。基地局のための地理的カバレッジエリア１１０は、カバレッジエリアの一部を構成するセクタ（示されていない）に分けられ得る。システム１００は、異なるタイプの基地局１０５（例えば、マクロ、マイクロ、および／またはピコ基地局）を含み得る。異なる技術のためにオーバーラップしているカバレッジエリアが存在し得る。
【００２７】
[0039]  システム１００は、異なるタイプの基地局が様々な地理的領域のためにカバレッジを提供する異機種ロングタームエボリューション（ＬＴＥ）／ＬＴＥ−Ａネットワーク（Heterogeneous Long Term Evolution (LTE)/LTE-A network）であり得る。例えば、各基地局１０５は、通信カバレッジをマクロセル、ピコセル、フェムトセル、および／または他のタイプのセルに提供し得る。マクロセルは一般的に、相対的に広い地理的エリア（例えば、半径数キロメートル）をカバーし、ネットワークプロバイダにサービス加入しているＵＥｓ（UEs with service subscriptions）による制限されていないアクセスを可能にし得る。ピコセルは一般的に、相対的により狭い地理的エリアをカバーし、ネットワークプロバイダにサービス加入しているＵＥｓによる制限されていないアクセスを可能にし得る。フェムトセルもまた、一般的に、相対的に狭い地理的エリア（例えば、家）をカバーし、制限されていないアクセスに加えて、フェムトセルとの関連付けを有するＵＥｓによって制限されているアクセスをも提供し得る。
【００２８】
[0040]  コアネットワーク１３０は、バックホールリンク１３２（例えば、Ｓ１、等）を介して基地局１０５と通信し得る。基地局１０５はまた、例えば、バックホールリンク１３４（例えば、Ｘ２、等）を介して、および／または（例えば、コアネットワーク１３０を通して）バックホールリンク１３２を介して、直接的にまたは間接的に、互いに通信し得る。ワイヤレス通信システム１００は、同期または非同期オペレーションをサポートし得る。同期オペレーションのために、基地局は、類似のフレームタイミングを有することができ、異なる基地局からの送信は、時間において近似的にアラインされ（aligned）得る。非同期オペレーションのために、基地局は、異なるフレームタイミングを有することができ、異なる基地局からの送信は、時間においてアラインされないことがある。本明細書に説明される技法は、同期または非同期オペレーションのいずれかのために使用され得る。
【００２９】
[0041]  ＵＥｓ１１５は、ワイヤレス通信システム１００全体にわたって分散されることができ、各ＵＥは、固定式または移動式であり得る。ＵＥ１１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な用語で称され得る。ＵＥ１１５は、ＭＴＣデバイス、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、またはそれらと同様のものであり得る。ＵＥは、マクロｅＮＢ、ピコｅＮＢ、フェムトｅＮＢ、リレー、およびそれらと同様のものと通信することが可能であり得る。システム１００内のＵＥｓ１１５のいくつかは、ＨＤ−ＦＤＤ通信のために構成される低複雑性のＭＴＣデバイスであり得る。
【００３０】
[0042]  システム１００に示されているワイヤレス通信リンク１２５は、ＵＥ１１５から基地局１０５へのアップリンク（ＵＬ）送信、および／またはダウンリンク（ＤＬ）キャリアを介した基地局１０５からＵＥ１１５へのＤＬ送信を含み得る。ダウンリンク送信は、順方向リンク送信とも呼ばれることができ、一方で、アップリンク送信は、逆方向リンク送信とも呼ばれ得る。基地局１０５は、ＵＥ１１５の二重通信能力を示す、低複雑性のＭＴＣデバイスのような、ＵＥ１１５からワイヤレス通信リンク１２５を介してメッセージを受信し得る。いくつかの実施形態では、基地局１０５、またはコアネットワーク１３０は、ＵＥ１１５の二重通信能力に基づいてＨＡＲＱ処理制限を選択し得る。
【００３１】
[0043]  図２は、様々な実施形態にしたがうＨＤ−ＦＤＤ  ＨＡＲＱオペレーションのために構成されたシステム（例えば、図１のシステム１００）内のワイヤレス通信２００の例を例示する。例２００は、図１のＵＥ１１５および基地局１０５の例であり得るＵＥ１１５−ａ（例えば、ＭＴＣデバイス）および基地局１０５−ａを含み得る。基地局１０５−ａは、二重通信能力を示すＵＥからのメッセージ２０５を受信し得る。例えば、メッセージは、ＵＥがＨＤ−ＦＤＤデバイスであることを明確に提示し得る。別の例では、基地局１０５−ａは、ＵＥ１１５−ａがＨＤ−ＦＤＤデバイスであるというメッセージの別の態様に基づいて（または、ＵＥ１１５−ａがＨＤ−ＦＤＤデバイスであるというＵＥからの複数の送信に基づいて）推測し得る。いくつかの例では、ＵＥ１１５−ａは、他の動作モードの能力があり得るが、現在、例えば、電力を保つためにＨＤ−ＦＤＤモードで動作している可能性がある。
【００３２】
[0044]  メッセージ２０５に基づいて、基地局１０５−ａは、ＨＡＲＱ処理制限２１０を選択し得る。基地局１０５−ａは、スケジューリングするために同時ＵＬ  ＨＡＲＱ処理（simultaneous UL HARQ processes）の最大数を選択し得る。例えば、リソース許可のＤＬ送信、ＵＬ送信、および／またはＤＬ肯定応答（ＡＣＫ）／否定応答（ＮＡＣＫ）間で一定の遅延（例えば、４ｍｓの遅延）が存在し得る。ゆえに、基地局１０５−ａは、ＵＥ１１５−ａがＵＬ  ＨＡＲＱフレームとＤＬ  ＨＡＲＱフレーム間で無線切り替え（radio switch）をするための時間を有し得るようにＨＡＲＱ処理の数を３まで制限し得る。
【００３３】
[0045]  いくつかの場合では、基地局１０５−ａはまた、選択されたＨＡＲＱ処理制限に基づいてＵＬ送信とＤＬ送信間の衝突２１５を予測し得る。基地局１０５−ａは次に、衝突を避けるために送信をスケジューリングし得る。例えば、予測された衝突を避けるために送信をスケジューリングすることは、ＵＬサブフレームをパンクチャすることを含む。いくつかの例では、ＵＬサブフレームをパンクチャすることは、ＵＬ許可を送信することを控えることを含む。いくつかの例では、ＵＬサブフレームをパンクチャすることは、早めのＡＣＫメッセージ（または、ＮＡＣＫの代わりにＡＣＫ）を送信することによってＵＬ再送を一時停止することを含む。基地局１０５−ａは、予測された衝突の後、次のサブフレームの中でＨＡＲＱ送信を再び始めるためにＵＬ許可を送信し得る。例えば、ＤＬサブフレームが、サブフレーム０（ＳＦ０）またはサブフレーム５（ＳＦ５）であり得る。すなわち、０−９のサブフレーム番号で１０ｍｓフレームごとに１０個のサブフレームを特定するシステムでは、基地局がスケジューリングし得るＤＬサブフレームは、第１のサブフレーム（ＳＦ０）または第６のサブフレーム（ＳＦ５）であり得る。ＤＬサブフレームは、物理ブロードキャストチャネル（ＰＢＣＨ）送信、ページング送信、システム情報メッセージ、または同期チャネルであり得る、またはそれらを含み得る。基地局１０−ａ５は、チャネル品質インジケータ（ＣＱＩ）またはプリコーディング行列インジケータ（ＰＭＩ）に利用可能である構成の数を制限し得る。
【００３４】
[0046]  基地局１０５−ａは次に、衝突を避けるためにＨＡＲＱ処理制限および／またはスケジュールに基づいてＤＬ送信２２５をＵＥ１１５−ａに送り得る。例えば、ＤＬ送信は、ＵＬ送信２３０のためのリソース許可であり得る。いくつかの例では、ＵＥ１１５−ａは、送信２２５より前に送信モードから受信モードに無線切り替え２２０−ａを行い得る。ＵＥ１１５−ａは次に、ＵＬ送信２３０を行うために受信モードから送信モードに別の無線切り替え２２０−ｂを行い得る。基地局は、ＵＬ送信２３０を受信し、ＡＣＫ２３５を送り得る。ＵＥ１１５−ａは、ＡＣＫを受信するために別の無線切り替え２２０−ｃを行い得る。一般的に、ＵＥ１１５−ａは、ＨＡＲＱ処理制限に基づいていくつかの送信を送る、または受信した後、無線切り替え２２０を行い得る。例えば、ＵＥ１１５−ａは、３個のサブフレームを送信することができ、次にサブフレームの各々に対するＡＣＫまたはＮＡＣＫを受信するために無線切り替え２２０を行い得る。このことは、ＵＥ１１５−ａが４個のサブフレームの遅延を持つ同期スケジュールにしたがって送信を送るおよび受信することを可能にし得る。
【００３５】
[0047]  図３Ａは、様々な実施形態にしたがう３個のＨＤ−ＦＤＤ  ＨＡＲＱオペレーションに基づくスケジュール３０１の例を例示する。いくつかの場合では、ＨＤ−ＦＤＤオペレーションは、送信から受信への（Ｔｘ−ｔｏ−Ｒｘ）および受信から送信への（Ｒｘ−ｔｏ−Ｔｘ）切り替えを完了するためにＵＥ１１５に対して１個のサブフレーム（例えば、１ｍｓ）の遅延を含む。いくつかの例では、ＨＤ−ＦＤＤオペレーションは、ＬＴＥ「フレーム構造タイプ１」の一部として定義され得る。ゆえに、ＨＤ−ＦＤＤは、フレーム構造タイプ１のために定義されたＨＡＲＱタイムラインに従い得る。すなわち、それは、ＵＬ  ＨＡＲＱオペレーションをスケジューリングするために同期スケジューリングを採用し得る。例えば、物理アップリンク共有チャネル（ＰＵＳＣＨ）送信とＨＡＲＱ−ＡＣＫ送信間に４個のサブフレームの遅延が存在し得る。物理ダウンリンク制御チャネル（ＰＤＣＣＨ）、発展型ＰＤＣＣＨ（ＥＰＤＣＣＨ）または物理ＨＡＲＱインジケータチャネル（ＰＨＩＣＨ）送信およびＰＵＳＣＨ送信間に４個のサブフレームの遅延も存在し得る。
【００３６】
[0048]  ＵＬデータ転送に従事するＨＤ−ＦＤＤ  ＵＥのためのスケジューリングは、ＵＬ  ＨＡＲＱ制限によって主に駆動され（driven primarily）得る。いくつかの例では、ＵＬ  ＨＡＲＱ処理の最大数は、３に制限され得る。すなわち、３個のＤＬ送信（例えば、ＤＬ  ＨＡＲＱサブフレーム）３０５は、基地局１０５によって送られることができ、その後ＵＥ１１５は、続く１個のサブフレーム（lasting one subframe）に無線切り替え３１５を行い得る。いくつかの例では、ＤＬ送信（例えば、ＤＬ  ＨＡＲＱサブフレーム）３０５は、ＵＬ送信またはＡＣＫ／ＮＡＣＫ送信のための許可を含み得る。次に、ＵＥ１１５は、３個のＵＬ送信／再送サブフレーム３１０を送信することができ、次に別の無線切り替え３１５が続く。ＵＥ１１５からのＵＬ送信／再送サブフレーム３１０は、基地局１０５からのＮＡＣＫに基づくデータ送信または再送を含み得る。フレームの中の各サブフレームは、０から９に番号付けされ得る。３個のＨＡＲＱ処理制限に基づく１個のＨＡＲＱ処理サイクルが８個のサブフレームを取り得るため、各フレームの中に１０個のサブフレームが存在し、ＨＡＲＱ処理は、フレーム番号と同期されないことがある。すなわち、８および１０の最小公倍数は、４０であるから、ＨＡＲＱ処理は、同じサブフレーム番号を有するサブフレームで始まる前に、５回（４０サブフレーム）をサイクルし得る。
【００３７】
[0049]  図３Ｂは、様々な実施形態にしたがう１個のＨＤ−ＦＤＤ  ＨＡＲＱ処理に基づくスケジュール３０２の例を例示する。ダウンリンク（ＤＬ）ＨＡＲＱサブフレーム３０５は、ＨＡＲＱ処理（例えば、リソース許可またはＡＣＫ／ＮＡＣＫサブフレーム）と関連付けられるダウンリンク送信のために使用され得る。単一のＵＬ送信（または再送）３１０は、各ＤＬ  ＨＡＲＱサブフレーム３０５の前、および後に４個のサブフレームをスケジューリングされ得る。無線切り替え３１５は、各ＵＬ送信／再送サブフレーム３１０の前、および後に行われ得る。追加の非ＨＡＲＱ関連ＤＬ送信（Additional non-HARQ related DL transmissions）３２０は、同期ＵＬ  ＨＡＲＱオペレーションのための４ｍｓの遅延が残るように同様にスケジューリングされ得る。図３Ａにあるような、５サイクルの後ＨＡＲＱ処理が同じ番号付けされたサブフレームで始まるように、サイクルは、８個のサブフレームから成り得る。いくつかの例では、スケジュールは、図３Ａおよび３Ｂに描写されるように２個だけでなく１個または３個のＨＡＲＱ処理に基づき得る。
【００３８】
[0050]  図４Ａは、様々な実施形態にしたがう、ＨＤ−ＦＤＤ  ＨＡＲＱオペレーションのためのスケジュール４０１の例を例示する。スケジュール４０１は、３個のＨＡＲＱ処理のサイクルを含むことができ、図３Ａの態様を組み込み得る。さらに、スケジュール４０１は、ＰＢＣＨを保持するためにＵＬパンクチャを持つ３個のＵＬ−ＨＡＲＱ処理のための例示的なスケジューラの動きを示す。３個のＤＬ  ＨＡＲＱサブフレーム３０５は、次に無線切り替え３１５が続き、次に３個のＵＬ送信／再送サブフレーム３１０が続き、次に別の無線切り替え３１５が続き得る。しかしながら、スケジュール４０１は、各ＳＦ０  ４１０がＤＬ  ＨＡＲＱサブフレーム３０５で生じることを確実にするために変更され得る。ＰＢＣＨ送信は、無線フレームごとにＳＦ０  ４１０で送られることができるため、ＳＦ０がＵＬ送信／再送サブフレーム３１０または無線切り替え３１５サブフレームに位置する（falls on）場合、ＵＥは、ＰＢＣＨ送信を受信することができない可能性がある。
【００３９】
[0051]  スケジュールの変更は、ＨＡＲＱ処理スケジュールを「パンクチャする」として既知であり得る。すなわち、（例えば、基地局１０５において、）ネットワークスケジューラは、（例えば、ＳＦ６での）４個のサブフレーム早い（four (4) subframes earlier）新たな送信のための許可の送信を一時停止することによって、またはＡＣＫを４個のサブフレーム早いＰＨＩＣＨ上で送ることによってＵＬ再送信を一時停止することによって、無線フレームごとのＳＦ０  ４１０でのＵＬ送信を避け得る。ＤＬサブフレーム４０５は、このようにしてスケジューリングされたサブフレームを表す。スケジューラ（例えば、基地局１０５）は次に、次のサブフレームの中でＨＡＲＱ送信を再び始めるためにＰＤＣＣＨを使用し得る。このことは、ＵＥ１１５によるＰＢＣＨの改良された受信をもたらし得る。ＳＦ０以外のサブフレームでの、システム情報ブロック１（ＳＩＢ１）またはページングメッセージのような、他のＤＬメッセージの受信もまた、ＰＢＣＨのために描写されたのと同じ方法で改良され得る。
【００４０】
[0052]  図４Ｂは、様々な実施形態にしたがう、ＨＤ−ＦＤＤ  ＨＡＲＱオペレーションのためのスケジュール４０２の例を例示する。スケジュール４０２は、３個のＨＡＲＱ処理のサイクルを含むことができ、図３Ａおよび４Ａの態様を組み込み得る。さらに、スケジュール４０２は、ＰＢＣＨとセル識別信頼性（cell identification reliability）の両方を保持するためにＵＬパンクチャを持つ３個のＵＬ−ＨＡＲＱ処理のスケジューラの動きの例を示す。すなわち、ＤＬ  ＨＡＲＱサブフレーム３０５は、次に無線切り替え３１５が続き、次にＵＬ送信／再送サブフレーム３１０が続き、次に別の無線切り替え３１５が続き得る。しかしながら、スケジュール４０２は、各ＳＦ０（またはいくつかの場合では、ほとんどのＳＦ０ｓ）がＤＬ  ＨＡＲＱサブフレーム３０５で生じることを確実にするように構成され得る。スケジュール４０２はまた、各ＳＦ５  ４１５（またはいくつかの場合では、ほとんどのＳＦ５ｓ  ４１５）がＤＬ  ＨＡＲＱサブフレーム３０５またはサブフレーム４０５で生じることを確実にするように構成されることができ、それは、ＤＬパンクチャサブフレームであり得る。
【００４１】
[0053]  図５は、様々な実施形態にしたがう、ＨＤ−ＦＤＤ  ＨＡＲＱオペレーションのための基地局１０５−ｂのブロック図５００を示す。基地局１０５−ｂは、図１−４を参照して説明された基地局１０５の１つ以上の態様の例であり得る。基地局１０５−ｂは、受信機５０５、ＨＡＲＱオペレーションモジュール５１０、および／または送信機５１５を含み得る。基地局１０５−ｂはまた、プロセッサを含み得る。これらのコンポーネントの各々は、互いに通信し得る。
【００４２】
[0054]  基地局１０５−ｂのコンポーネントは、個々にまたは集合的に、ハードウェアの中の適用可能な機能のいくつかまたはすべてを行うように適合された特定用途向け集積回路（ＡＳＩＣ）でインプリメントされ得る。代替として、機能は、少なくとも１つのＩＣ上で、１つ以上の他の処理ユニット（またはコア）によって行われ得る。他の実施形態では、他のタイプの集積回路（例えば、構造化（structured）／プラットフォームＡＳＩＣｓ、フィールドプログラマブルゲートアレイ（ＦＰＧＡ）、または別の半カスタムＩＣ（Semi-Custom IC））が使用されることができ、これらは、当該技術分野において既知の任意の方法でプログラムされ得る。各ユニットの機能はまた、全体的にあるいは部分的に、メモリの中に具体化される命令でインプリメントされ、１つ以上の汎用または特定用途向けのプロセッサによって実行されるようにフォーマットされ得る。
【００４３】
[0055]  受信機５０５は、パケット、ユーザデータ、および／または様々な情報チャネル（例えば、制御チャネル、データチャネル、等）と関連付けられる制御情報のような情報を受信し得る。情報は、ＨＡＲＱオペレーションモジュール５１０に、および基地局１０５−ｂの他のコンポーネントにパスされ得る。
【００４４】
[0056]  ＨＡＲＱオペレーションモジュール５１０は、ＵＥの二重通信能力を示すＵＥからのメッセージを受信するように構成され得る。ＨＡＲＱオペレーションモジュール５１０は、ＵＥの二重通信能力に少なくとも部分的に基づいてＨＡＲＱ処理制限を選択するように構成され得る。
【００４５】
[0057]  送信機５１５は、基地局１０５−ｂの他のコンポーネントから受信された１つ以上の信号を送信し得る。いくつかの実施形態では、送信機５１５は、トランシーバモジュールの中で受信機５０５とコロケートされ得る。送信機５１５は、単一のアンテナを含むことができ、またはそれは、複数のアンテナを含み得る。
【００４６】
[0058]  図６は、様々な実施形態にしたがう、ＨＤ−ＦＤＤ  ＨＡＲＱオペレーションのための基地局１０５−ｃのブロック図６００を示す。基地局１０５−ｃは、図１−５を参照して説明された基地局１０５の１つ以上の態様の例であり得る。基地局１０５−ｃは、受信機５０５−ａ、ＨＡＲＱオペレーションモジュール５１０−ａ、および／または送信機５１５−ａを含み得る。基地局１０５−ｃはまた、プロセッサを含み得る。これらのコンポーネントの各々は、互いに通信し得る。ＨＡＲＱオペレーションモジュール５１０−ａはまた、二重通信能力モジュール６０５およびＨＡＲＱ処理モジュール６１０を含み得る。
【００４７】
[0059]  基地局１０５−ｃのコンポーネントは、個々にまたは集合的に、ハードウェアの中の適用可能な機能のいくつかまたはすべてを行うように適合された少なくとも１つのＡＳＩＣでインプリメントされ得る。代替として、機能は、少なくとも１つのＩＣ上で、１つ以上の他の処理ユニット（またはコア）によって行われ得る。他の実施形態では、他のタイプの集積回路（例えば、構造化／プラットフォームＡＳＩＣｓ、ＦＰＧＡ、または別の半カスタムＩＣ）が使用されることができ、これらは、当該技術分野において既知の任意の方法でプログラムされ得る。各ユニットの機能はまた、全体的にまたは部分的に、メモリの中に具体化される命令でインプリメントされ、１つ以上の汎用または特定用途向けのプロセッサによって実行されるようにフォーマットされ得る。
【００４８】
[0060]  受信機５０５−ａは、ＨＡＲＱオペレーションモジュール５１０−ａに、および基地局１０５−ｃの他のコンポーネントにパスされ得る情報を受信し得る。ＨＡＲＱオペレーションモジュール５１０−ａは、図５に関して上記に説明されたオペレーションを行うように構成され得る。送信機５１５−ａは、基地局１０５−ｃの他のコンポーネントから受信された１つ以上の信号を送信し得る。
【００４９】
[0061]  二重通信能力モジュール６０５は、ＵＥの二重通信能力を示すＵＥからのメッセージを受信するように構成され得る。いくつかの例では、メッセージは、ＵＥの二重通信能力を識別する。いくつかの例では、ＵＥの二重通信能力は、ＨＤ−ＦＤＤ能力であり得る。
【００５０】
[0062]  ＨＡＲＱ処理モジュール６１０は、ＵＥの二重通信能力に少なくとも部分的に基づいてＨＡＲＱ処理制限を選択するように構成され得る。いくつかの例では、ＨＡＲＱ処理制限は、ＵＥのためのスケジューリングモードであり得る、またはスケジューリングモードを含み得る。ＨＡＲＱ処理モジュール６１０は、ＨＡＲＱ処理制限が８個未満のＵＬ  ＨＡＲＱ処理の制約を含み得るように構成され得る。いくつかの例では、ＨＡＲＱ処理制限は、３個のＵＬ  ＨＡＲＱ処理に対する制約を備える。
【００５１】
[0063]  図７は、様々な実施形態にしたがう、ＨＤ−ＦＤＤ  ＨＡＲＱオペレーションのためのＨＡＲＱオペレーションモジュール５１０−ｂのブロック図７００を示す。ＨＡＲＱオペレーションモジュール５１０−ｂは、図５−６に関して説明されたＨＡＲＱオペレーションモジュール５１０の１つ以上の態様の例であり得る。ＨＡＲＱオペレーションモジュール５１０−ｂは、二重通信能力モジュール６０５−ａおよびＨＡＲＱ処理モジュール６１０−ａを含み得る。これらのモジュールの各々は、図６に関して上記に説明された機能を行い得る。ＨＡＲＱ処理モジュール６１０−ａはまた、スケジューリングモジュール７０５を含むことができ、ＨＡＲＱオペレーションモジュール５１０−ｂは、チャネルステート情報（ＣＳＩ）構成モジュール７１０も含み得る。
【００５２】
[0064]  ＨＡＲＱオペレーションモジュール５１０−ｂのコンポーネントは、個々にまたは集合的に、ハードウェアの中の適用可能な機能のいくつかまたはすべてを行うように適合された１つ以上のＡＳＩＣでインプリメントされ得る。代替として、機能は、少なくとも１つのＩＣ上で、１つ以上の他の処理ユニット（またはコア）によって行われ得る。他の実施形態では、他のタイプの集積回路（例えば、構造化／プラットフォームＡＳＩＣｓ、ＦＰＧＡ、または別の半カスタムＩＣ）が使用されることができ、これらは、当該技術分野において既知の任意の方法でプログラムされ得る。各ユニットの機能はまた、全体的にまたは部分的に、メモリの中に具体化される命令でインプリメントされ、１つ以上の汎用または特定用途向けのプロセッサによって実行されるようにフォーマットされ得る。
【００５３】
[0065]  スケジューリングモジュール７０５は、選択されたＨＡＲＱ処理制限に基づいてＵＬ送信とＤＬサブフレーム間の衝突を予測するように構成され得る。スケジューリングモジュール７０５はまた、予測された衝突を避けるために送信をスケジューリングするように構成され得る。いくつかの例では、予測された衝突を避けるために送信をスケジューリングすることは、ＵＬサブフレームをパンクチャすることを備える。いくつかの例では、ＵＬサブフレームをパンクチャすることは、ＵＬ許可を送信することを控えることを備える。いくつかの例では、ＵＬサブフレームをパンクチャすることは、早めのＡＣＫメッセージを送信することによってＵＬ再送を一時停止することを備える。スケジューリングモジュール７０５はまた、予測された衝突を避けると、次のサブフレームの中でＨＡＲＱ送信を再び始めるためにＵＬ許可を送信するように構成され得る。いくつかの例では、ＤＬサブフレームは、サブフレーム０（ＳＦ０）またはサブフレーム５（ＳＦ５）を備える。
【００５４】
[0066]  ＣＳＩ構成モジュール７１０は、ＣＱＩまたはＰＭＩのための構成を選択するように構成され得る。例えば、それは、ＨＤ−ＦＤＤモードで動作するＵＥ１１５に基づいてＵＥ１１５のＣＳＩ構成を制限し得る。周期的なＣＳＩ報告構成（Periodic CSI reporting configuration）のために、ＵＬ  ＨＡＲＱタイムラインが、８ｍｓにアラインされ得るため、すべてのＣＱＩ／ＰＭＩ構成（例えば、３ＧＰＰ（登録商標）  ＴＳ３６．２１３の表７．２．２−１Ａに定義されているＣＱＩ／ＰＭＩ構成）は、サポートされないことがある。例えば、８（ＵＬ−ＨＡＲＱアラインメント）および１０（フレームの中のサブフレームの数）の最小公倍数は、４０であるため、５、１０、または２０個のフレームのＣＱＩ／ＰＭＩサイクル（Ｎｐｄとも称される）を使用することは、可能でない可能性がある。すなわち、ＣＳＩ構成モジュールは、４０の倍数であるサイクルにＣＱＩおよび／またはＰＭＩの構成を制限し得る。
【００５５】
[0067]  図８は、様々な実施形態にしたがう、ＨＤ−ＦＤＤ  ＨＡＲＱオペレーションのためのシステム８００の図を示す。システム８００は、基地局１０５−ｄを含むことができ、それは、図１−７に関して説明された基地局１０５の例であり得る。基地局１０５−ｄは、ＨＡＲＱオペレーションモジュール８１０を含むことができ、それは、図５−７に関して説明されたＨＡＲＱオペレーションモジュールの例であり得る。基地局１０５−ｄはまた、ブロードキャストモジュール８２５を含み得る。基地局１０５ーｄは、通信を送信するためのコンポーネント、および通信を受信するためのコンポーネントを含む双方向の音声およびデータ通信のためのコンポーネントを含み得る。例えば、基地局１０５は、例えば、基地局通信モジュール８３０を介して、Ｘ２インタフェースを介して、他の基地局１０５（示されていない）と通信することができ、あるいはそれは、ＭＴＣ  ＵＥ１１５−ｂまたは非ＭＴＣ  ＵＥ（non-MTC UE）１１５−ｃと通信し得る。
【００５６】
[0068]  ブロードキャストモジュール８２５は、ＰＢＣＨ送信、システム情報メッセージ、同期チャネル、および基地局１０５の地理的カバレッジエリア１１０の中の複数のＵＥｓ１１５に向けられる他のデータを送るように構成され得る。ブロードキャストモジュール８２５は、これらのメッセージを送信するためにトランシーバ８３５と連携して動作することができ、ブロードキャスト情報との衝突を避けるためにＨＡＲＱオペレーションスケジュールを調整するためのＨＡＲＱオペレーションモジュール８１０と連携し得る。
【００５７】
[0069]  基地局１０５−ｄはまた、プロセッサモジュール８０５、および（ソフトウェア（ＳＷ）８２０を含む）メモリ８１５、および１つ以上の１つまたは複数のアンテナ８４０を含むことができ、それらは各々、直接的または間接的に、（例えば、１つ以上のバス８４５を介して）互いに通信し得る。トランシーバ８３５は、上記に説明されたように、１つ以上のネットワークと、１つまたは複数のアンテナ８４０ならびに／あるいは１つ以上のワイヤードまたはワイヤレスリンクを介して、双方向に通信するように構成され得る。例えば、トランシーバ８３５は、ＵＥ１１５と双方向に通信するように構成され得る。トランシーバ８３５は、パケットを変調し、変調されたパケットを送信のために１つまたは複数のアンテナ８４０に提供し、１つまたは複数のアンテナ８４０から受信されたパケットを復調するように構成されるモデムを含み得る。基地局１０５−ｄは、単一のアンテナ８４０を含み得る一方、基地局１０５−ｄは、複数のワイヤレス送信を同時に送信する、および／または受信する能力がある複数のアンテナ８４０も有し得る。トランシーバ８３５もまた、１つ以上の基地局１０５と同時に通信する能力があり得る。
【００５８】
[0070]  メモリ８１５は、ランダムアクセスメモリ（ＲＡＭ）および読取専用メモリ（ＲＯＭ）を含み得る。メモリ８１５は、実行されるとき、プロセッサモジュール８０５に、本明細書に説明された様々な機能（例えば、ＵＥ１１５の二重通信能力を識別すること、ＨＡＲＱ処理制限を選択すること、ＵＬ  ＨＡＲＱ送信およびＰＢＣＨの衝突を避けること、ＣＱＩ／ＰＭＩ構成を制限すること、等）を実行させるように構成される命令を包含する、コンピュータ読取可能な、コンピュータ実行可能なソフトウェア／ファームウェアコード８２０を記憶し得る。代替として、ソフトウェア／ファームウェアコード８２０は、プロセッサモジュール８０５によって直接実行可能でないことがあるが、（例えば、コンパイルされ、実行されるとき）コンピュータに、本明細書に説明された機能を実行させるように構成される。プロセッサモジュール８０５は、例えば、ＲＡＭおよびＲＯＭを含み得る、中央処理ユニット（ＣＰＵ）、マイクロコントローラ、ＡＳＩＣ、等のようなインテリジェントハードウェアデバイスを含み得る。メモリ８１５は、実行されるとき、プロセッサモジュール８０５に、本明細書に説明された様々な機能（例えば、呼処理、データベース管理、キャリアモードインジケータの処理、報告ＣＳＩ（reporting CSI）、等）を実行させるように構成される命令を包含する、コンピュータ読取可能な、コンピュータ実行可能なソフトウェア／ファームウェアコード８２０を記憶し得る。代替として、ソフトウェア／ファームウェアコード８２０は、プロセッサモジュール８０５によって直接実行可能でないことがあるが、（例えば、コンパイルされ、実行されるとき）コンピュータに、本明細書に説明された機能を実行させるように構成される。プロセッサモジュール８０５は、例えば、ＣＰＵ、マイクロコントローラ、ＡＳＩＣ、等のようなインテリジェントハードウェアデバイスを含み得る。
【００５９】
[0071]  図９は、様々な実施形態にしたがう、ＨＤ−ＦＤＤ  ＨＡＲＱオペレーションのための方法を例示するフローチャート９００を示す。フローチャート９００の機能は、図１−８に関して説明されたように基地局１０５またはそのコンポーネントによってインプリメントされ得る。いくつかの例では、フローチャート９００のブロックは、図５−８に関して説明されたＨＡＲＱオペレーションモジュールによってインプリメントされ得る。
【００６０】
[0072]  ブロック９０５において、基地局１０５は、ＵＥの二重通信能力を示すＵＥからのメッセージを受信し得る。例えば、メッセージは、明確にＵＥ能力を示すことができ、または基地局１０５は、ＵＥがＨＤ−ＦＤＤデバイスであるという１つ以上のメッセージに基づいて推測し得る。いくつかの例では、ブロック９０５の機能は、図６に関して上記に説明されたように、二重通信能力モジュール６０５によってインプリメントされ得る。
【００６１】
[0073]  ブロック９１０において、基地局１０５は、ＵＥの二重通信能力に少なくとも部分的に基づいてＨＡＲＱ処理制限を選択し得る。いくつかの例では、ブロック９１０の機能は、図６に関して上記に説明されたように、ＨＡＲＱ処理モジュール６１０によってインプリメントされ得る。いくつかの例では、フローチャート９００のステップは、基地局とコロケートされないネットワークスケジューラによって達成され得る。
【００６２】
[0074]  フローチャート９００の方法は、単に１つのインプリメンテーションに過ぎず、方法のオペレーションおよびステップは、他のインプリメンテーションが可能であるように、再配置またはそうでなければ修正され得ることは留意されるべきである。
【００６３】
[0075]  図１０は、様々な実施形態にしたがう、ＨＤ−ＦＤＤ  ＨＡＲＱオペレーションのための方法を例示するフローチャート１０００を示す。フローチャート１０００の機能は、図１−８に関して説明されたように基地局１０５またはそのコンポーネントによってインプリメントされ得る。いくつかの例では、フローチャート１０００のブロックは、図５−８に関して説明されたＨＡＲＱオペレーションモジュールによってインプリメントされ得る。フローチャート１０００に説明された方法はまた、図９のフローチャート９００の態様を組み込み得る。
【００６４】
[0076]  ブロック１００５において、基地局１０５は、ＵＥの二重通信能力を示すＵＥからのメッセージを受信し得る。例えば、メッセージは、明確にＵＥ能力を示すことができ、または基地局１０５は、ＵＥがＨＤ−ＦＤＤデバイスであるという１つ以上のメッセージに基づいて推測し得る。いくつかの例では、ブロック１００５の機能は、図６に関して上記に説明されたように、二重通信能力モジュール６０５によって行われ得る。
【００６５】
[0077]  ブロック１０１０において、基地局１０５は、ＵＥの二重通信能力に少なくとも部分的に基づいてＨＡＲＱ処理制限を選択し得る。いくつかの例では、ブロック１０１０の機能は、図６に関して上記に説明されたように、ＨＡＲＱ処理モジュール６１０によって行われ得る。
【００６６】
[0078]  ブロック１０１５において、基地局１０５は、選択されたＨＡＲＱ処理制限に基づいてＵＬ送信とＤＬサブフレーム間の衝突を予測し得る。いくつかの例では、ブロック１０１５の機能は、図７に関して上記に説明されたように、スケジューリングモジュール７０５によって行われ得る。
【００６７】
[0079]  ブロック１０２０において、基地局１０５は、予測された衝突を避けるために送信をスケジューリングし得る。いくつかの例では、ブロック１０２０の機能は、図７に関して上記に説明されたように、スケジューリングモジュール７０５によってインプリメントされ得る。
【００６８】
[0080]  フローチャート１０００の方法は、単に１つのインプリメンテーションに過ぎず、方法のオペレーションおよびステップは、他のインプリメンテーションが可能であるように、再配置またはそうでなければ修正され得ることは留意されるべきである。
【００６９】
[0081]  図１１は、様々な実施形態にしたがう、ＨＤ−ＦＤＤ  ＨＡＲＱオペレーションのための方法を例示するフローチャート１１００を示す。フローチャート１１００の機能は、図１−８に関して説明されたように基地局１０５またはそのコンポーネントによってインプリメントされ得る。いくつかの例では、フローチャート１１００のブロックは、図５−８に関して説明されたＨＡＲＱオペレーションモジュールによってインプリメントされ得る。フローチャート１１００に説明された方法はまた、図９−１０のフローチャート９００から１０００の態様を組み込み得る。
【００７０】
[0082]  ブロック１１０５において、基地局１０５は、ＵＥの二重通信能力を示すＵＥからのメッセージを受信し得る。例えば、メッセージは、明確にＵＥ能力を示すことができ、および／または基地局１０５は、ＵＥがＨＤ−ＦＤＤデバイスであるという１つ以上のメッセージに基づいて推測し得る。いくつかの例では、ブロック１１０５の機能は、図６に関して上記に説明されたように、二重通信能力モジュール６０５によって行われ得る。
【００７１】
[0083]  ブロック１１１０において、基地局１０５は、ＵＥの二重通信能力に少なくとも部分的に基づいてＨＡＲＱ処理制限を選択し得る。いくつかの例では、ブロック１１１０の機能は、図６に関して上記に説明されたように、ＨＡＲＱ処理モジュール６１０によってインプリメントされ得る。
【００７２】
[0084]  ブロック１１１５において、基地局１０５は、ＣＱＩまたはプリコーディング行列インジケータ（ＰＭＩ）に利用可能である構成の数を制限し得る。いくつかの例では、ブロック１１１５の機能は、図７に関して上記に説明されたように、ＣＳＩ構成モジュール７１０によってインプリメントされ得る。
【００７３】
[0085]  フローチャート１１００の方法は、単に１つのインプリメンテーションに過ぎず、方法のオペレーションおよびステップは、他のインプリメンテーションが可能であるように、再配置またはそうでなければ修正され得ることは留意されるべきである。
【００７４】
[0086]  本明細書に説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムのために使用され得る。「システム」および「ネットワーク」という用語は、交換可能に使用されることが多い。ＣＤＭＡシステムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、およびＩＳ−８５６規格をカバーする。ＩＳ−２０００リリース０およびＡは、一般的に、ＣＤＭＡ２０００  １Ｘ、１Ｘ、等と称される。ＩＳ−８５６（ＴＩＡ−８５６）は、一般的に、ＣＤＭＡ２０００  １ｘＥＶ−ＤＯ、高レートパケットデータ（ＨＲＰＤ）、等と称される。ＵＴＲＡは、広帯域ＣＤＭＡ（ＷＣＤＭＡ（登録商標））およびＣＤＭＡの他の変形を含む。ＴＤＭＡシステムは、グローバルシステムフォーモバイルコミュニケーションズ（ＧＳＭ（登録商標））のような無線技術をインプリメントし得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ、等のような無線技術をインプリメントし得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションシステム（ＵＭＴＳ）の最新リリースである。ＵＴＲＡ、Ｅ−ＵＴＲＡ、ＵＭＴＳ、ＬＴＥ、ＬＴＥ−Ａおよびグローバルシステムフォーモバイルコミュニケーションズ（ＧＳＭ）は、「第３世代パートナーシッププロジェクト」（３ＧＰＰ）と呼ばれる団体からの文書に説明されている。ＣＤＭＡ２０００およびＵＭＢは、「第３世代パートナーシッププロジェクト２」（３ＧＰＰ２）と呼ばれる団体からの文書に説明されている。本明細書に説明されている技法は、上述されたシステムおよび無線技術にも、他のシステムおよび無線技術にも使用され得る。しかしながら、上記の説明は、例のためにＬＴＥシステムを説明しており、ＬＴＥ用語が、上記の説明のほとんどで使用されるが、この技法はＬＴＥ適用の範囲を超えて適用可能である。
【００７５】
[0087]  添付図面に関連して上述された詳細な説明は、例示的な実施形態を説明するものであり、インプリメントされ得る、または特許請求の範囲内にある実施形態のみを表すものではない。詳細な説明は、説明された技法の理解を提供する目的で、特定の詳細を含む。しかしながら、これらの技法は、これら特定の詳細なしに実施され得る。いくつかの例では、周知の構造およびデバイスは、説明された実施形態の概念を曖昧にすることを避けるためにブロック図の形で示される。
【００７６】
[0088]  情報と信号は、様々な異なる技術および技法のいずれかを使用して表され得る。例えば、上記の説明を通して参照され得るデータ、命令、コマンド、情報、信号、ビット、シンボル、およびチップは、電圧、電流、電磁波、磁界または磁気粒子、光場または光学粒子、あるいはそれらの任意の組み合わせによって表わされ得る。
【００７７】
[0089]  本明細書における開示に関連して説明された様々な例示的なブロックおよびモジュールは、本明細書で説明された機能を実行するように設計された、汎用プロセッサ、デジタル信号プロセッサ（ＤＳＰ）、ＡＳＩＣ、ＦＰＧＡ、または他のプログラマブル論理デバイス、ディスクリートゲートまたはトランジスタ論理、ディスクリートハードウェアコンポーネント、またはそれらの任意の組み合わせを用いて、インプリメントされ得る、または行われ得る。汎用プロセッサは、マイクロプロセッサであり得るが、代替として、プロセッサは、任意の従来のプロセッサ、コントローラ、マイクロコントローラ、またはステートマシンであり得る。プロセッサはまた、例えば、ＤＳＰとマイクロプロセッサの組み合わせ、複数のマイクロプロセッサ、ＤＳＰコアと連結した１つ以上のマイクロプロセッサ、または任意の他のそのような構成のような、コンピューティングデバイスの組み合わせとしてインプリメントされ得る。
【００７８】
[0090]  本明細書に説明された機能は、ハードウェア、プロセッサによって実行されるソフトウェア、ファームウェア、またはそれらの任意の組み合わせでインプリメントされ得る。プロセッサによって実行されるソフトウェアでインプリメントされる場合、機能は、コンピュータ読取可能な媒体上で１つ以上の命令またはコードとして記憶または送信され得る。他の例およびインプリメンテーションは、本開示および添付の特許請求の範囲内にある。例えば、ソフトウェアの特質により、上記に説明された機能は、プロセッサによって実行されるソフトウェア、ハードウェア、ファームウェア、ハードワイヤリング、またはこれらの任意の組み合わせを使用してインプリメントされることができる。機能をインプリメントする特徴はまた、様々な位置において物理的にロケートされることができ、機能の部分が異なる物理的なロケーションにおいてインプリメントされるように分配されることを含む。また、特許請求の範囲を含む、本明細書で使用される場合、項目のリスト（例えば、「のうちの少なくとも１つ」、または「のうちの１つ以上」のようなフレーズで始まる項目のリスト）で使用される「または（or）」は、例えばＡ、Ｂ、またはＣのうちの少なくとも１つのリストが、Ａ、またはＢ、またはＣ、またはＡＢ、またはＡＣ、またはＢＣ、またはＡＢＣ（すなわち、ＡおよびＢおよびＣ）を意味するように離接的なリスト（disjunctive list）を示す。
【００７９】
[0091]  コンピュータ読取可能な媒体は、１つの場所から別の場所へのコンピュータプログラムの転送を促進する任意の媒体を含む通信媒体および非一時的なコンピュータ記憶媒体の両方を含む。非一時的な記憶媒体は、汎用または専用コンピュータによってアクセスされることができる任意の利用可能な媒体であり得る。限定ではなく例として、非一時的なコンピュータ読取可能な媒体は、ＲＡＭ、ＲＯＭ、電気的に消去可能なプログラマブル読取専用メモリ（ＥＥＰＲＯＭ（登録商標））、コンパクトディスク（ＣＤ）ＲＯＭ、または他の光ディスク記憶装置、磁気ディスク記憶装置、または他の磁気記憶デバイス、または、命令またはデータ構造の形式で所望のプログラムコード手段を搬送または記憶するために使用されることができ、かつ、汎用または専用コンピュータ、あるいは汎用または専用プロセッサによってアクセスされることができる、任意の他の非一時的な媒体を備えることができる。また、任意の接続は、厳密にはコンピュータ読取可能な媒体と称される。例えば、ソフトウェアがウェブサイト、サーバ、または他の遠隔ソースから、同軸ケーブル、光ファイバーケーブル、ツイストペア、デジタル加入者回線（ＤＳＬ）、または赤外線、無線、およびマイクロ波のようなワイヤレス技法を使用して送信される場合、同軸ケーブル、光ファイバーケーブル、ツイストペア、ＤＳＬ、または赤外線、無線、およびマイクロ波のようなワイヤレス技術は媒体の定義に含まれる。本明細書で使用される場合、ディスク（Disk）およびディスク（disc）は、ＣＤ、レーザーディスク（登録商標）、光ディスク、デジタル多目的ディスク（ＤＶＤ）、フロッピー（登録商標）ディスク、およびｂｌｕ−ｒａｙ（登録商標）ディスクを含み、ここでディスク（disks）は、通常磁気的にデータを再生し、一方ディスク（discs）は、レーザーを用いて光学的にデータを再生する。上記の組み合わせはまた、コンピュータ読取可能な媒体の範囲内に含まれる。
【００８０】
[0092]  本開示の先の説明は、当業者が本開示を製造または使用することを可能にするために提供される。本開示への様々な修正は、当業者にとって容易に明らかであり、本明細書に定義された一般的な原理は、本開示の範囲から逸脱することなく、他のバリエーションに適用され得る。本開示の全体にわたって、「例（example）」または「例示的（exemplary）」という用語は、例または実例を示すものであり、記載された例に対するいかなる選好を暗に示すものでもいかなる選好を必要とするものでもない。よって、本開示は、本明細書に説明された例および設計に限定されるべきではなく、本明細書に開示された原理および新規の特徴と一致する最も広い範囲が付与されるべきである。
以下に、本願出願の当初の特許請求の範囲に記載された発明を付記する。
［Ｃ１］
ワイヤレス通信の方法であって、
ユーザ機器（ＵＥ）の二重通信能力を示す前記ＵＥからのメッセージを受信することと、
前記ＵＥの前記二重通信能力に少なくとも部分的に基づいてハイブリッド自動再送要求（ＨＡＲＱ）処理制限を選択することと、
を備える、方法。
［Ｃ２］
前記メッセージは、前記ＵＥの前記二重通信能力を識別する、Ｃ１に記載の方法。
［Ｃ３］
前記ＨＡＲＱ処理制限は、前記ＵＥのためのスケジューリングモードを備える、Ｃ１に記載の方法。
［Ｃ４］
前記ＵＥの前記二重通信能力は、半二重周波数分割二重通信（ＨＤ−ＦＤＤ）能力である、Ｃ１に記載の方法。
［Ｃ５］
前記ＨＡＲＱ処理制限は、８個未満のアップリンク（ＵＬ）ＨＡＲＱ処理の制約を備える、Ｃ４に記載の方法。
［Ｃ６］
前記選択されたＨＡＲＱ処理制限に基づいてＵＬ送信とダウンリンク（ＤＬ）サブフレーム間の衝突を予測することと、
前記予測された衝突を避けるために送信をスケジューリングすることと、
をさらに備える、Ｃ１に記載の方法。
［Ｃ７］
前記予測された衝突を避けるために前記送信をスケジューリングすることは、
ＵＬサブフレームをパンクチャすることを備える、Ｃ６に記載の方法。
［Ｃ８］
前記予測された衝突を避けると、次のサブフレームの中でＨＡＲＱ送信を再び始めるためにＵＬ許可を送信することをさらに備える、Ｃ７に記載の方法。
［Ｃ９］
前記ＤＬサブフレームは、サブフレーム０（ＳＦ０）またはサブフレーム５（ＳＦ５）を備える、Ｃ６に記載の方法。
［Ｃ１０］
前記ＤＬサブフレームは、物理ブロードキャストチャネル（ＰＢＣＨ）送信、ページング送信、システム情報メッセージ、または同期チャネルのうちの少なくとも１つを備える、Ｃ６に記載の方法。
［Ｃ１１］
チャネル品質インジケータ（ＣＱＩ）またはプリコーディング行列インジケータ（ＰＭＩ）に利用可能である構成の数を制限することをさらに備える、Ｃ１に記載の方法。
［Ｃ１２］
ワイヤレス通信のための装置であって、
ユーザ機器（ＵＥ）の二重通信能力を示す前記ＵＥからのメッセージを受信するための手段と、
前記ＵＥの前記二重通信能力に少なくとも部分的に基づいてハイブリッド自動再送要求（ＨＡＲＱ）処理制限を選択するための手段と、
を備える、装置。
［Ｃ１３］
前記メッセージは、前記ＵＥの前記二重通信能力を識別する、Ｃ１２に記載の装置。
［Ｃ１４］
前記ＨＡＲＱ処理制限は、前記ＵＥのためのスケジューリングモードを備える、Ｃ１２に記載の装置。
［Ｃ１５］
前記ＵＥの前記二重通信能力は、半二重周波数分割二重通信（ＨＤ−ＦＤＤ）能力である、Ｃ１２に記載の装置。
［Ｃ１６］
前記ＨＡＲＱ処理制限は、８個未満のアップリンク（ＵＬ）ＨＡＲＱ処理の制約を備える、Ｃ１５に記載の装置。
［Ｃ１７］
前記選択されたＨＡＲＱ処理制限に基づいてＵＬ送信とダウンリンク（ＤＬ）サブフレーム間の衝突を予測するための手段と、
前記予測された衝突を避けるために送信をスケジューリングするための手段と、
をさらに備える、Ｃ１２に記載の装置。
［Ｃ１８］
前記予測された衝突を避けるために前記送信をスケジューリングするための前記手段は、
ＵＬサブフレームをパンクチャするための手段を備える、Ｃ１７に記載の装置。
［Ｃ１９］
前記予測された衝突を避けると、次のサブフレームの中でＨＡＲＱ送信を再び始めるためにＵＬ許可を送信するための手段をさらに備える、Ｃ１８に記載の装置。
［Ｃ２０］
チャネル品質インジケータ（ＣＱＩ）またはプリコーディング行列インジケータ（ＰＭＩ）に利用可能である構成の数を制限するための手段をさらに備える、Ｃ１２に記載の装置。
［Ｃ２１］
ワイヤレス通信のための装置であって、
プロセッサと、前記プロセッサと電子通信をするメモリと、前記メモリに記憶された命令と、前記命令は、前記装置に、
ユーザ機器（ＵＥ）の二重通信能力を示す前記ＵＥからのメッセージを受信することと、
前記ＵＥの前記二重通信能力に少なくとも部分的に基づいてハイブリッド自動再送要求（ＨＡＲＱ）処理制限を選択することと、
を行わせるために前記プロセッサによって実行可能である、
を備える、装置。
［Ｃ２２］
前記メッセージは、前記ＵＥの前記二重通信能力を識別する、Ｃ２１に記載の装置。
［Ｃ２３］
前記ＨＡＲＱ処理制限は、前記ＵＥのためのスケジューリングモードを備える、Ｃ２１に記載の装置。
［Ｃ２４］
前記ＵＥの前記二重通信能力は、半二重周波数分割二重通信（ＨＤ−ＦＤＤ）能力である、Ｃ２１に記載の装置。
［Ｃ２５］
前記ＨＡＲＱ処理制限は、８個未満のアップリンク（ＵＬ）ＨＡＲＱ処理の制約を備える、Ｃ２４に記載の装置。
［Ｃ２６］
前記命令は、前記装置に、
前記選択されたＨＡＲＱ処理制限に基づいてＵＬ送信とダウンリンク（ＤＬ）サブフレーム間の衝突を予測することと、
前記予測された衝突を避けるために送信をスケジューリングすることと、
を行わせるために前記プロセッサによってさらに実行可能である、Ｃ２１に記載の装置。
［Ｃ２７］
前記予測された衝突を避けるために前記送信をスケジューリングすることは、
ＵＬサブフレームをパンクチャすることを備える、Ｃ２６に記載の装置。
［Ｃ２８］
前記命令は、前記装置に、
前記予測された衝突を避けると、次のサブフレームの中でＨＡＲＱ送信を再び始めるためにＵＬ許可を送信することを行わせるために前記プロセッサによってさらに実行可能である、Ｃ２７に記載の装置。
［Ｃ２９］
前記命令は、前記装置に、
チャネル品質インジケータ（ＣＱＩ）またはプリコーディング行列インジケータ（ＰＭＩ）に利用可能である構成の数を制限することを行わせるために前記プロセッサによってさらに実行可能である、Ｃ２１に記載の装置。
［Ｃ３０］
ワイヤレス通信のためのコードを記憶する非一時的なコンピュータ読取可能な媒体であって、前記コードは、
ユーザ機器（ＵＥ）の二重通信能力を示す前記ＵＥからのメッセージを受信することと、
前記ＵＥの前記二重通信能力に少なくとも部分的に基づいてハイブリッド自動再送要求（ＨＡＲＱ）処理制限を選択することと、
が実行可能である命令を備える、非一時的なコンピュータ読取可能な媒体。
【図１】
0006742916.tif 000002
【図２】
0006742916.tif 000003
【図３Ａ】
0006742916.tif 000004
【図３Ｂ】
0006742916.tif 000005
【図４Ａ】
0006742916.tif 000006
【図４Ｂ】
0006742916.tif 000007
【図５】
0006742916.tif 000008
【図６】
0006742916.tif 000009
【図７】
0006742916.tif 000010
【図８】
0006742916.tif 000011
【図９】
0006742916.tif 000012
【図１０】
0006742916.tif 000013
【図１１】
0006742916.tif 000014